(57)【要約】【課題】従来の名刺をシール付名刺に改良する。【解決手段】名刺用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなる帖着自在のシール付名刺を設け、該シール付名刺本体からシールを剥して所望の個所へ名刺代りに帖着してなることを特徴とする帖着自在のシール付名刺とその利用法。【選択図】  図１
2004160906.tif 000002
【特許請求の範囲】
【請求項１】
名刷用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなることを特徴とする帖着自在のシール付名刺。
【請求項２】
前項のシール付名刺において、シール付名刺本体の表裏面に数枚のシールを帖着自在に帖り付けてなる請求項１記載の帖着自在のシール付名刺。
【請求項３】
請求項１記載のシール付名刺において、シール付名刺本体の表裏面に帖着されているシールを１枚づつ剥すことを可能にしてなる請求項１記載の帖着自在のシール付名刺。
【請求項４】
名刺用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなる帖着自在のシール付名刺を設け、該シール付名刺本体からシールを剥して所望の個所へ名刺代りに帖着してなることを特徴とする帖着自在のシール付名刺の利用法。
【請求項５】
請求項４記載のシール付名刺の利用法において、名刺本体とシールとを完全に分離させて名刺本体は従来の名刺として使用し、一方シールの方は購入元及び仕入先の商品であることを表示して商品管理を行う請求項４記載の帖着自在のシール付名刺の利用法。
【請求項６】
請求項４記載のシール付名刺の利用法において、シール付名刺を従来の名刺以外の使用目的として、広告宣伝及び装飾デザインにも使用できることを可能とした請求項４記載の帖着自在のシール付名刺の利用法。
【発明の詳細な説明】
【０００１】
【発明に属する技術分野】
本発明は名刺に関するが、詳しくは従来の名刺に所望の文字及び図柄を印刷しかつ該名刺の文字及び図柄と同様なシールを名刺に張り付けてなる帖着自在のシール付名刺とその利用法に関するものである。
【０００２】
【従来の技術】
従来から一般的に使用されている名刺は、名刺版の大きさの名刺に社名やハウスマークなどが印刷されているものが使用されている。この従来式の名刺は会社の宣伝と職名を相手方に伝えることが目的であって、それ以外の使用目的としては利用することができない欠点がある。
【０００３】
また、コピー機・ワープロ・パソコンなどのＯＡ機器などを購入した場合に、そのＯＡ機器の正面など目によく見える場所にセールスマンなどの名刺をそのまま帖り付けているのが一般的である。この場合、ＯＡ機器に何枚かの名刺が帖り付けられているために見ばえが悪く装飾やデザイン的にも良くないばかりか、１枚の名刺をＯＡ機器に帖り付けられているため名刺入れに保管することが不可能となり種々の不便が生じていた。
【０００４】
【発明が解決しようとする課題】
このような従来式の名刺に改良を加えたところに本発明が解決しようとする課題を有している。すなわち、従来の名刺に名刺に表記されている文字や図柄と同じシールを帖着しておき、購入したＯＡ機器の正面に名刺からシールを剥して帖り付けようとするところに本発明が解決しようとする課題がある。
【０００５】
【課題を解決するための手段】
本発明は上記の如き問題を解決するために開発したものであって、名刷用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなることを特徴とする帖着自在のシール付名刺の提供にあり、また前記のシール付名刺においてシール付名刺本体の表裏面に数枚のシールを帖着自在に帖り付けてなり、また前記のシール付名刺においてシール付名刺本体の表裏面に帖着されているシールを１枚づつ剥すことを可能にしてなる帖着自在のシール付名刺の提供にある。
【０００６】
更に本発明は、名刺用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなる帖着自在のシール付名刺を設け、該シール付名刺本体からシールを剥して所望の個所へ名刺代りに帖着してなることを特徴とする帖着自在のシール付名刺の利用法の提供にあり、また前記のシール付名刺の利用法において名刺本体とシールとを完全に分離させて名刺本体は従来の名刺として使用し、一方シールの方は購入元及び仕入先の商品であることを表示して商品管理を行う帖着自在のシール付名刺の利用法の利用法であり、また前記のシール付名刺の利用法においてシール付名刺を従来の名刺以外の使用目的として、広告宣伝及び装飾デザインにも使用できることを可能とした帖着自在のシール付名刺の利用法の提供にある。
【０００７】
【発明の実施の形態】
本発明の実施形態は、名刷用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなることを特徴とする帖着自在のシール付名刺であり、また前記のシール付名刺においてシール付名刺本体の表裏面に数枚のシールを帖着自在に帖り付けてなり、更に前記のシール付名刺においてシール付名刺本体の表裏面に帖着されているシールを１枚づつ剥すことを可能にしてなる帖着自在のシール付名刺であるから、専ら名刺の機能しか有していない従来の名刺に更にシールとしての機能も付加された名刺を提供することができる。
【０００８】
また本発明の実施形態は、名刺用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなる帖着自在のシール付名刺を設け、該シール付名刺本体からシールを剥して所望の個所へ名刺代りに帖着してなることを特徴とする帖着自在のシール付名刺の利用法であり、また前記のシール付名刺の利用法において名刺本体とシールとを完全に分離させて名刺本体は従来の名刺として使用し、一方シールの方は購入元及び仕入先の商品であることを表示して商品管理を行う帖着自在のシール付名刺の利用法法であり、また前記のシール付名刺の利用法においてシール付名刺を従来の名刺以外の使用目的として、広告宣伝及び装飾デザインにも使用できることを可能とした帖着自在のシール付名刺の利用法であるから、従来の名刺以外目的として商品の広告宣伝にも利用することができる。
【０００９】
【実施例】
以下、図面に従って本発明の実施例について説明する。
【００１０】
図１と図２は、本発明からなる帖着自在のシール付名刺を示した概要図であり、１はそのシール付名刺の本体である。シール付名刺本体１は、従来の名刺にシールプリント２ａ、２ｂ、２ｃが印刷されており、更にシールプリント２ａの上面には同様なシール３ａ、３ｂ、３ｃが帖着されている。またシールプリント２ｂには同様にシール４ａ、４ｂ、４ｃが、またシールプリント２ｃにはシール５ａ、５ｂ、５ｃがそれぞれ帖着されている。すなわち、名刺本体１に印刷されているシールと全く同一のシールを各シールプリント２ａ、２ｂ、２ｃに帖着したものである。例えば、シールプリント２ａに帖着されているシール３ａ、３ｂ、３ｃは、シール３ａ、シール３ｂ、シール３ｃの順に剥すことができるとともに剥されたシール３ａ、３ｂ、３ｃは剥した状態のまま他の物に帖着することができるように構成されている。
【００１１】
図３と図４は、他の実施例を示したものであり、いずれも透明なシールを全面に帖着したものである。図３は、名刺本体１１の表側に印刷されているシールプリント１３、１４、１５と全く同一のシールプリント１３、１４、１５が印刷されている透明表面シール１２を帖着し、一方名刺本体１１の裏側に印刷されているシールプリント１３、１４、１５の透明裏面シール１６を帖着し、この両面に帖着されている透明表面シール１２と透明裏面シール１６は名刺本体１１から自在に剥して帖着することができる。
【００１２】
また図４は、図３と同様な透明シールであるが本図の方は透明シールに直接プリントするのではなく、黒枠抜方式（シールを黒枠のみでプリントして被帖着面の色を浮び出させる方法）で名刺本体１１に帖着されている。このように、図１がシールのみを帖着するのに対して、図３と図４の方は名刺本体１１の全面を透明シールで帖着することが異っている。
【００１３】
図５と図６は本発明の使用方法を示したものであり、図５は図１に示したシール３ａ、４ａをインターネットＡの表面コーナーに帖着した場合であり、図６は図３に示した透明表面シール１２をコピー機Ｂの側面にまた図１に示したシール４ａをコピー機Ｂの正面に帖着した場合である。
【００１４】
【発明の効果】
本発明は、名刷用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなることを特徴とする帖着自在のシール付名刺であり、また前記のシール付名刺においてシール付名刺本体の表裏面に数枚のシールを帖着自在に帖り付けてなり、更に前記のシール付名刺においてシール付名刺本体の表裏面に帖着されているシールを１枚づつ剥すことを可能にしてなる帖着自在のシール付名刺である。
【００１５】
また本発明は、名刺用に成型した原紙の表面又は裏面若しくは両面の全面又は一部面に白黒又は色彩の文字及び図柄を印刷した名刺本体と、該名刺本体に表示されている文字及び図柄と同様なシールとから構成され、前記名刺本体にシールを帖着してなる帖着自在のシール付名刺を設け、該シール付名刺本体からシールを剥して所望の個所へ名刺代りに帖着してなることを特徴とする帖着自在のシール付名刺の利用法であり、また前記のシール付名刺の利用法において名刺本体とシールとを完全に分離させて名刺本体は従来の名刺として使用し、一方シールの方は購入元及び仕入先の商品であることを表示して商品管理を行う帖着自在のシール付名刺の利用法であり、更に前記のシール付名刺の利用法においてシール付名刺を従来の名刺以外の使用目的として広告宣伝及び装飾デザインにも使用できることを可能とした帖着自在のシール付名刺の利用法であるから、次のような多くの効果を有する。
ア、本発明は従来の名刺に所望のシールを帖着することによって、従来の社名等の宣伝用に使用される名刺としての機能（役割）以外に商品の広告宣伝としての機能（役割）を持たせることができる。
イ、本発明のシール付名刺にすればシールの図柄やデザインに特徴を持たせることによって、そのシールを名刺から剥して商品に帖り付けると商品の装飾やデザインとして使用することができる。
ウ、また本発明のシール付名刺を用いれば、１枚の元の名刺本体と同じ文字や図柄のシールを何枚も帖着させることによって、元の名刺１枚に対してシールを何枚も使用することが可能となる。
エ、また本発明のシール付名刺にすることによって、文字以外のマスコットマークのみ剥して帖り付けることができるので、携帯電話など若者のファッションとしても利用することができる。
【図面の簡単な説明】
【図１】本発明のシール付名刺を示した斜視図。
【図２】図１に示したシール付名刺の分解図。
【図３】本発明のシール付名刺に透明シールを用いた説明図。
【図４】本発明のシール付名刺に透明シールを用いた説明図。
【図５】本発明の使用状態を示した説明図。
【図６】本発明の使用状態を示した説明図。
【符号の説明】
１  名刺本体                        ２ａ、２ｂ、２ｃ  シールプリント
３ａ、３ｂ、３ｃ  シール            ４ａ、４ｂ、４ｃ  シール
５ａ、５ｂ、５ｃ  シール            １１  名刺本体
１２  透明表面シール                １３、１４、１５  シールプリント
１６  透明裏面シール
Ａ  インターネット                  Ｂ  コピー機
【図１】
2004160906.tif 000003
【図２】
2004160906.tif 000004
【図３】
2004160906.tif 000005
【図４】
2004160906.tif 000006
【図５】
2004160906.tif 000007
【図６】
2004160906.tif 000008